Podtech/llm-jp-corpus-v4-ja_patent huggingface dataset:
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
遠隔的な監視と制御コマンドの実行を行う乗物制御システムにおいて、
ＣＡＮ  ＢＵＳ通信ネットワークを有する乗物と、
前記ＣＡＮ  ＢＵＳ通信ネットワークと、衛星測位システム（Ｇｌｏｂａｌ Ｐｏｓｉｔｉｏｎｉｎｇ Ｓｙｓｔｅｍ）と、加速度計とに操作可能に接続する安全運転システムの中央マイクロプロセッサと、
前記安全運転システムの中央マイクロプロセッサに接続され、ユーザが画定した乗物操作における許容可能な制限値のライブラリを有する許容値比較器マイクロプロセッサであって、前記乗物の在所における速度制限値を決定する制限速度特定手段に接続されて、それにより前記乗物の安全運転速度を決定する許容値比較器マイクロプロセッサと、
前記安全運転システムの中央マイクロプロセッサからのデータを通信するトランシーバと、
前記トランシーバから伝送されるデータを受信する遠隔無線通信装置であって、当該遠隔無線通信装置が、前記安全運転システムの中央マイクロプロセッサへの制御コマンドを遠隔で実行するためのアプレットを有しており、前記安全運転システムの中央マイクロプロセッサから受信するデータに応答して前記乗物の操作を遠隔制御する遠隔無線通信装置と、
を具え、
乗物の操作が監視可能で、無線通信装置から乗物の制御コマンドを遠隔的に実行することを特徴とする乗物制御システム。
【請求項２】
乗物について遠隔的に監視して制御コマンドを実行する方法において、
乗物のＣＡＮ  ＢＵＳ通信ネットワークと、衛生測位システム（Ｇｌｏｂａｌ Ｐｏｓｉｔｉｏｎｉｎｇ Ｓｙｓｔｅｍ）と、加速度計とに安全運転システムの中央マイクロプロセッサを取り付けるステップと、
許容値比較器マイクロプロセッサを前記安全運転システムのマイクロプロセッサに接続するステップであって、前記許容値比較器マイクロプロセッサが、ユーザが画定した乗物操作における許容可能な制限値のライブラリを有するものであるステップと、
取付けた前記安全運転システムの中央マイクロプロセッサを有する乗物の速度を継続的に測定するステップと、
前記乗物の在所において、前記安全運転システムの中央マイクロプロセッサを有する乗物の速度制限値を継続的に監視するステップと、
前記ユーザが画定した乗物操作における許容可能な制限値のライブラリから、前記許容値比較器マイクロプロセッサによって、前記乗物の速度が設定された許容値を超過した場合を決定するステップと、
設定された許容値を超過している前記乗物の速度を、遠隔無線通信装置に伝送するステップと、
前記遠隔無線通信装置から乗物制御コマンドを、前記中央プロセッサに伝送するステップと、
を具えており、
乗物の操作は監視可能で、無線通信装置から制御コマンドを遠隔的に実行することを特徴とする方法。
【請求項３】
請求項１に記載の乗物制御システムにおいて、前記制限速度特定手段が、速度制限値のデータベースを読むことによって、前記乗物の在所での速度制限値を決定することを特徴とする乗物制御システム。
【請求項４】
請求項３に記載の乗物制御システムにおいて、前記速度制限値のデータベースは、前記乗物から遠隔配置されていることを特徴とする乗物制御システム。
【請求項５】
請求項１に記載の乗物制御システムにおいて、前記乗物が、当該乗物上にカメラを有しており、前記制限速度特定手段が、前記カメラが掲示された速度制限値を視覚的に読み取ることによって前記乗物の在所の速度制限値を決定することを特徴とする乗物制御システム。
【請求項６】
請求項１に記載の乗物制御システムにおいて、前記安全運転システムの中央マイクロプロセッサが、前記ＣＡＮ  ＢＵＳ通信ネットワークにＯＢＤ−ＩＩコネクタを通して機能的に接続されることを特徴とする乗物制御システム。
【請求項７】
請求項１に記載の乗物制御システムにおいて、前記遠隔無線通信装置が、スマートフォンであることを特徴とする乗物制御システム。
【請求項８】
請求項１に記載の乗物制御システムにおいて、前記乗物制御システムが、前記オンボード遠隔無線通信装置とペアリングするｂｌｕｅ  ｔｏｏｔｈ（登録商標）通信を組込んでおり、これにより乗物の運転者が、当該運転者の運転を監視可能であることを特徴とする乗物制御システム。
【請求項９】
請求項１に記載の乗物制御システムが、前記乗物の中の無線通信装置について、文字入力を検知し、前記遠隔無線通信装置に通知する手段を有することを特徴とする乗物制御システム。
【請求項１０】
請求項１に記載の乗物制御システムにおいて、前記乗物制御システムの中央マイクロプロセッサが、加速度計の表示数値を検知し、前記乗物の潜在的無謀運転を判定し、当該判定を前記遠隔無線通信装置に通信することを特徴とする乗物制御システム。
【請求項１１】
請求項２に記載の乗物について遠隔的に監視して制御コマンドを実行する方法において、乗物の在所の速度制限値のデータベースを探索することによって、速度制限値を特定するステップを具えることを特徴とする方法。
【請求項１２】
請求項１１に記載の乗物について遠隔的に監視して制御コマンドを実行する方法において、前記乗物から遠隔配置されたデータベースを探索することによって前記速度制限値を特定するステップを具えることを特徴とする方法。
【請求項１３】
請求項１１に記載の乗物について遠隔的に監視して制御コマンドを実行する方法において、前記乗物のカメラで道路標識上の速度制限値を読み取るステップを具えることを特徴とする方法。
【請求項１４】
請求項２に記載の乗物について遠隔的に監視して制御コマンドを実行する方法において、前記安全運転システムの中央マイクロプロセッサを、乗物のＯＢＤ−ＩＩコネクタに連結することによって、前記ＣＡＮ  ＢＵＳ通信ネットワークに取り付けるステップを具えることを特徴とする方法。
【請求項１５】
請求項２に記載の乗物について遠隔的に監視して制御コマンドを実行する方法において、設定された許容値を超過している前記乗物の速度を遠隔スマートフォンに伝送するステップを具えることを特徴とする方法。
【請求項１６】
請求項２に記載の乗物について遠隔的に監視して制御コマンドを実行する方法において、前記ＣＡＮ  ＢＵＳとオンボード無線通信装置の間をｂｌｕｅ  ｔｏｏｔｈ接続でペアリングするステップを具えることを特徴とする方法。
【請求項１７】
請求項２に記載の乗物について遠隔的に監視して制御コマンドを実行する方法において、前記乗物の運転者が運転中に文字入力していることを検知し、当該検知を前記無線通信装置に通信するステップを具えることを特徴とする方法。
【請求項１８】
請求項２に記載の乗物について遠隔的に監視して制御コマンドを実行する方法において、前記乗物の加速度計の表示数値を検知し、当該検知から潜在的無謀運転を判定し、前記遠隔無線通信装置に潜在無謀運転の当該判定を通信するステップを具えることを特徴とする方法。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
バッテリと電子システムとの間に結合されるバッテリ電界効果トランジスタ(FET)であって、前記FETが、前記バッテリに結合されるように構成された第1の端子と、前記電子システムに結合されるように構成された第2の端子とを有し、電流が、前記バッテリと前記電子システムとの間で前記バッテリから前記FETを通って流れ、前記FETが、複数のFETセグメントを備え、前記複数のFETセグメントは、前記複数のFETセグメントの各々のソースを結合すること、および前記複数のFETセグメントの各々のドレインを結合することにより並列に結合され、前記複数のFETセグメントの各々は、個別の制御端子を有する、電界効果トランジスタ(FET)と、
システム状態入力を受け取る入力を有し、かつ、前記システム状態入力に基づいて複数のスイッチ制御信号を提供する出力を有する論理ブロックと、
前記複数のスイッチ制御信号に結合された第1の端子を有し、かつ、前記複数のFETセグメントの前記個別の制御端子に独立して結合された第2の端子を有する切換え回路であって、
前記複数のEFTセグメントの前記個別の制御端子を第1の基準電圧端子または第2の基準電圧端子のうちの1つに選択的に結合し、それにより前記第1の基準電圧または前記第2の基準電圧を独立して各FETの前記制御端子に印加し、各FETセグメントをターンオンまたはターンオフするように構成され、
前記バッテリおよび前記電子システムの間の電流経路における抵抗を制御するように構成される、切換え回路と、
前記FETの前記第1の端子に結合された第1の入力端子を有し、前記FETの前記第2の端子に結合された第2の入力端子を有し、前記FETの前記第1および第2の端子にわたる電圧差に対応するデジタル値を提供するための出力を有するアナログ-デジタル変換器であって、前記FETの前記第1および第2の端子にわたる前記電圧差は、前記バッテリおよび前記電子システムとの間の電流経路で流れる電流の直接的尺度を示すように構成される、アナログ-デジタル変換器と
を備える回路。
【請求項２】
前記切換え回路が複数のスイッチを備え、前記複数のスイッチの各スイッチが、前記複数のスイッチ制御信号のうちの1つに結合された制御端子、および前記FETセグメントのうちの対応する1つの個別の制御端子に結合された前記複数のスイッチの各々の第1の端子を有し、各スイッチが、前記複数のFETセグメントのうちの1つの前記個別の制御端子のうちの1つを前記第1の基準電圧端子または前記第2の基準電圧端子のうちの1つに選択的に結合し、それにより前記FETセグメントを独立してターンオンまたはターンオフする、請求項1に記載の回路。
【請求項３】
第1のシステムモードが第2のシステムモードにおけるバッテリ電流よりも対応するより小さいバッテリ電流を有している場合、前記第1のシステムモードにおいてターンオンされるように構成されるFETセグメントの第1の数は、第2のシステムモードにおいてターンオンされるFETセグメントの第2の数よりも少ない、請求項1に記載の回路。
【請求項４】
前記システム状態入力が、クロック動作の状態、電圧調整器の状態、ソフトウェアアプリケーションの状態、電流引出しの状態およびシステムモードのうちの少なくとも1つを含む、請求項1に記載の回路。
【請求項５】
前記アナログ-デジタル変換器が、前記スイッチ制御信号を受け取り、前記スイッチ制御信号に基づいて前記デジタル値をスケーリングするための第3の端子を有する、請求項1に記載の回路。
【請求項６】
バッテリと電子システムとの間のバッテリ電界効果トランジスタ(FET)を介してバッテリ電流を前記電子システムと前記バッテリとの間で結合するステップであって、前記FETが複数のFETセグメントを備え、前記複数のFETセグメントは、前記複数のFETセグメントの各々のソースを共に結合すること、および前記複数のFETセグメントの各々のドレインを共に結合することにより並列に結合され、前記複数のFETセグメントの各々は、個別の制御端子を有する、ステップと、
システム状態入力を論理ブロック内で受け取り、かつ、前記システム状態入力に基づいて複数のスイッチ制御信号を生成するステップと、
前記スイッチ制御信号を使用して複数のスイッチを選択的にアクティブ化するステップであって、
前記複数のスイッチが、前記複数のFETセグメントの各々の前記個別の制御端子を第1の基準電圧または第2の基準電圧のうちの1つに選択的に結合し、それにより前記第1の基準電圧または前記第2の基準電圧を独立して各FETの前記制御端子に印加し、各FETセグメントをターンオンまたはターンオフし、
前記複数のスイッチが、前記バッテリおよび前記電子システムの間の電流経路における抵抗を制御するように構成される、ステップと、
前記複数のFETセグメントの前記共に結合されたソースおよび前記共に結合されたドレインにわたる電圧差をデジタル値に変換するステップであって、前記電圧差は、前記バッテリおよび前記電子システムとの間の電流経路で流れる電流の直接的尺度を示すように構成される、ステップと
を含む方法。
【請求項７】
第1のシステムモードにおいて第1の数のFETセグメントをターンオンするステップと、
第2のシステムモードにおいて第2の数のFETセグメントをターンオンするステップとをさらに含み、
前記第1のシステムモードが前記第2のシステムモードにおけるバッテリ電流よりも、対応するより小さいバッテリ電流を有している場合、前記第1の数のFETセグメントが前記第2の数のFETセグメントよりも少ない、請求項6に記載の方法。
【請求項８】
前記システム状態入力が、クロック動作の状態、電圧調整器の状態、ソフトウェアアプリケーションの状態、電流引出しの状態およびシステムモードのうちの少なくとも1つを含む、請求項6に記載の方法。
【手続補正書】
【提出日】平成30年2月5日(2018.2.5)
【手続補正１】
【補正対象書類名】明細書
【補正対象項目名】０００９
【補正方法】変更
【補正の内容】
【０００９】
本発明はＳＰＦをサポートするＵＶ成分が包含された製剤を提供し、且つ異なったカプセル化技術およびカプセル形状との適合性を提供する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，０８２，６６１号明細書
（特許文献２）  米国特許第６，２４８，３３９号明細書
（特許文献３）  米国特許出願公開第２００４／０００５２７９号明細書
（特許文献４）  米国特許出願公開第２００４／０２２８８２１号明細書
（特許文献５）  米国特許出願公開第２０１０／０３３００１１号明細書
（特許文献６）  米国特許出願公開第２０１２／０１８９６７６号明細書
（特許文献７）  国際公開第２０１２／１４３３４４号
（特許文献８）  特開２００３−０６３９２７号公報
（特許文献９）  米国特許第６，１２４，３４８号明細書
（特許文献１０）  米国特許出願公開第２０１０／００１００９１号明細書
（特許文献１１）  米国特許出願公開第２０１１／０２００５４３号明細書
（特許文献１２）  米国特許出願公開第２０１２／０１２８６１１号明細書
（特許文献１３）  米国特許出願公開第２０１２／０３２１５７６号明細書
（特許文献１４）  米国特許出願公開第２０１３／００７１３４１号明細書
（特許文献１５）  米国特許出願公開第２０１３／０２３０４７４号明細書
（特許文献１６）  欧州特許出願公開第２１２７６３３号明細書
（特許文献１７）  欧州特許出願公開第２２６６５２７号明細書
（非特許文献）
（非特許文献１）  "Ｕｎｉｖｅｒｓａｌ  ＵＶ  Ｓｈｉｅｌｄ  ＳＰＦ  ３０"，Ｍｉｎｔｅｌ；  ＸＰ００２７７０５３１；  Ｓｅｐｔｅｍｂｅｒ  ２００９；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．１１５９８３７；
（非特許文献２）  "Ｎａｔｕｒａｌ  Ｓｕｎｂｌｏｃｋ  ＳＰＦ  ５０"，Ｍｉｎｔｅｌ；  ＸＰ００２７７０５３２；  Ｓｅｐｔｅｍｂｅｒ  ２００９；  ｒｅｔｒｉｅｖｅｄ  ｆｒｏｍ  ｗｗｗ．ｇｎｐｄ．ｃｏｍ
（非特許文献３）  "Ｒｅｓｉｓｔａｎｔｉｅｌ  ＵＶ  ＡＧＸｐｅｒｔ  ＳＰＦ  ５０／ＰＡ＋＋＋＋"，Ｍｉｎｔｅｌ；  ＸＰ００２７７０５３３；  Ａｐｒｉｌ  ２０１３；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．２０５６７８５．
（非特許文献４）  "Ｑｕｉｃｋｉｅｓ  Ｐｏｃｋｅｔ  Ｐａｃｋｓ  Ｐｈｏｔｏ  Ａｇｅ  Ｐｒｏｔｅｃｔｉｏｎ  Ｇｅｌ"，Ｍｉｎｔｅｌ；  ＸＰ００２７７０５３４；  Ｆｅｂｒｕａｒｙ  ２００５；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．１０２０７９７１．
（非特許文献５）  "Ｅｖｅｒｙｄａｙ  Ｐｒｏｔｅｃｔｉｖｅ  Ｂａｓｅ"，Ｍｉｎｔｅｌ；  ＸＰ００２７７０５３５；  Ｆｅｂｒｕａｒｙ  ２００５；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．３３６２９７．
（非特許文献６）  "Ｇｌｙｍｅｄ  Ｐｌｕｓ  −  Ｂｏｄｙ  Ｓｕｎ  Ｇｅｌ"，Ｍｉｎｔｅｌ；  ＸＰ００２７７０５３６；  Ａｕｇｕｓｔ  ２００４；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．１０１８４３６８．
（非特許文献７）  "Ｋｒｅｍ  Ｏｃｈｒｏｎｎｙ  ｄｏ  Ｃｅｒｙ  Ｆｏｔｏｗｒａｚｌｉｗｅｊ  Ｂｏｄｙ  Ｃｒｅａｍ"，Ｍｉｎｔｅｌ；  ＸＰ００２７７０５３７；  Ａｕｇｕｓｔ  ２００３；  ｒｅｔｒｉｅｖｅｄ  ｆｒｏｍ  ｗｗｗ．ｇｎｐｄ．ｃｏｍ；  Ｄａｔａｂａｓｅ  Ａｃｃｅｓｓｉｏｎ  Ｎｏ．２２３４９４．
（非特許文献８）  Ｅｕｒｏｐｅａｎ  Ｓｅａｒｃｈ  Ｒｅｐｏｒｔ；  Ｍａｉｌｅｄ  ２０１７−０６−２６  ｆｏｒ  ＥＰ  Ａｐｐｌｉｃａｔｉｏｎ  Ｎｏ．ＥＰ１５７５２６７３．３
（非特許文献９）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ；  Ｍａｉｌｅｄ  ２０１５−０５−２８  ｆｏｒ  ＰＣＴ／ＵＳ２０１５／０１６２６７
【誤訳訂正書】
【提出日】平成30年2月22日(2018.2.22)
【誤訳訂正１】
【訂正対象書類名】明細書
【訂正対象項目名】００５８
【訂正方法】変更
【訂正の内容】
【００５８】
一実施形態では、該組成物は、経口、経肺、直腸、結腸、非経口、嚢内、膣内、腹腔内、眼内、耳内、局所、頬側、経鼻、又は局所投与に適している。
【誤訳訂正２】
【訂正対象書類名】明細書
【訂正対象項目名】００７７
【訂正方法】変更
【訂正の内容】
【００７７】
本発明の医薬組成物は、（ａ）経口、経肺、直腸、結腸、非経口、嚢内、膣内、腹腔内、眼内、耳内、局所、頬側、経鼻、及び局所投与からなる群から選択される投与のために；（ｂ）液体分散物、ゲル、エアロゾル、軟膏、クリーム、凍結乾燥製剤、錠剤、カプセルからなる群から選択される剤形に；（ｃ）放出制御製剤、即時溶解製剤、遅延放出製剤、持続放出製剤、パルス放出製剤、及び即時放出製剤と放出制御製剤との混合された製剤からなる群から選択される剤形に；又は（ｄ）（ａ）、（ｂ）、及び（ｃ）の任意の組み合わせに製剤化することができる。
【誤訳訂正３】
【訂正対象書類名】特許請求の範囲
【訂正対象項目名】全文
【訂正方法】変更
【訂正の内容】
【特許請求の範囲】
【請求項１】
ａ）シロリムス又はその塩の群から選択される活性化合物；
ｂ）ポリビニルカプロラクタム−ポリ酢酸ビニル−ポリエチレングリコールグラフト共重合体；ポロキサマー；ポリビニルピロリドン；ビニルピロリドンと酢酸ビニルの共重合体；及びポリ（マレイン酸−コ−メチルビニルエーテル）、の群から選択される少なくとも１つの複合化剤（complexing agent）；並びに
ｃ）薬学的に許容される賦形剤としてラウリル硫酸ナトリウム、
を含む安定な複合体であって、
生理学的関連媒体（physiological relevant media）に即時に再分散可能であり、かつ以下の特性：
ａ）５０ｎｍと６００ｎｍとの間の範囲の粒子サイズを有する；及び
ｂ）少なくとも１ヶ月間に亘って少なくとも２．０×１０-6ｃｍ／ｓのＰＡＭＰＡ透過性を有する、を有し、
ここで、前記ポリビニルピロリドンが、ＰＶＰ４０、ＰＶＰＫ９０、ＰＶＰ１０、及びＰｌａｓｄｏｎｅ Ｋ−１２からなる群より選択される、複合体。
【請求項２】
前記粒子サイズが５０ｎｍと２００ｎｍとの間の範囲である、請求項１に記載の複合体。
【請求項３】
前記複合化剤がポリビニルピロリドンである、請求項１又は２に記載の複合体。
【請求項４】
１又は複数の追加の活性薬剤をさらに含む、請求項１から３のいずれか一項に記載の複合体。
【請求項５】
前記追加の活性薬剤が、腎移植を受けた患者における臓器拒絶反応の予防に、乾癬、結節性硬化症に関連した顔面血管線維腫（facial angiofibromas）、バート・ホッグ・デュベ症候群（Birt-Hogg-Dube Syndrome）に見られる線維毛包腫（fibrofolliculomas）、慢性びらん性口腔扁平苔癬、早期皮膚Ｔ細胞リンパ腫、自己免疫アクティブ前部ぶどう膜炎（Autoimmune Active Anterior Uveitis）、ドライアイ症候群、加齢黄斑変性、糖尿病黄斑浮腫、非感染性ぶどう膜炎、毛細血管拡張症、炎症性皮膚疾患（皮膚炎、乾癬、扁平紅色苔癬）、先天性爪甲硬厚症の治療に、ならびに血管新生経路抑制に有用な薬剤の群から選択される、請求項１から４のいずれか一項に記載の複合体。
【請求項６】
ポリビニルピロリドンである複合化剤、及びラウリル硫酸ナトリウムである薬学的に許容される賦形剤を、複合体の総重量に基づいて１．０重量％から９５．０重量％の範囲の総量で含む、請求項１から５のいずれか一項に記載の複合体。
【請求項７】
薬学的に許容される溶媒中の、シロリムス又はその塩と、ポリビニルカプロラクタム−ポリ酢酸ビニル−ポリエチレングリコールグラフト共重合体；ポロキサマー；ポリビニルピロリドン；ビニルピロリドンと酢酸ビニルの共重合体；及びポリ（マレイン酸−コ−メチルビニルエーテル）の群から選択される少なくとも１つの複合化剤との溶液を、貧溶媒としてラウリル硫酸ナトリウムを含有する水溶液と連続流混合するステップを含むと共に、前記ポリビニルピロリドンが、ＰＶＰ４０、ＰＶＰＫ９０、ＰＶＰ１０、及びＰｌａｓｄｏｎｅ Ｋ−１２からなる群より選択される、請求項１から６のいずれか一項に記載の複合体の調製方法。
【請求項８】
連続フロー装置で行われる、請求項７に記載の方法。
【請求項９】
前記連続フロー装置がマイクロ流体装置である、請求項８に記載の方法。
【請求項１０】
前記薬学的に許容される溶媒が、メタノール、エタノール、イソプロパノール、ｎ−プロパノール、アセトン、アセトニトリル、ジメチルスルホキシド、テトラヒドロフラン、及びそれらの組み合わせの群から選択される、請求項７から９のいずれか一項に記載の方法。
【請求項１１】
前記薬学的に許容される溶媒がメタノールである、請求項７から１０のいずれか一項に記載の方法。
【請求項１２】
前記溶媒及び水性溶媒が互いに混和性であり、かつ、該水性溶媒が最終溶液の０．１から９９．９重量％を占める、請求項７から１１のいずれか一項に記載の方法。
【請求項１３】
薬学的に許容される担体とともに、請求項１から６のいずれか一項に記載の複合体を含有する医薬組成物。
【請求項１４】
経口、経肺、直腸、結腸、非経口、嚢内、膣内、腹腔内、眼内、耳内、局所、頬側、経鼻、又は局所投与に適している、請求項１３に記載の医薬組成物。
【請求項１５】
経口及び局所投与に適している、請求項１３又は１４に記載の医薬組成物。
【請求項１６】
腎移植を受けた患者における臓器拒絶反応の予防における、乾癬、結節性硬化症に関連した顔面血管線維腫、バート・ホッグ・デュベ症候群に見られる線維毛包腫、慢性びらん性口腔扁平苔癬、早期皮膚Ｔ細胞リンパ腫、自己免疫アクティブ前部ぶどう膜炎、ドライアイ症候群、加齢黄斑変性、糖尿病黄斑浮腫、非感染性ぶどう膜炎、毛細血管拡張症、炎症性皮膚疾患（皮膚炎、乾癬、扁平紅色苔癬）、先天性爪甲硬厚症の治療における、及び血管新生経路抑制における使用のための、請求項１３から１５のいずれか一項に記載の医薬組成物。
【請求項１７】
ラパミューンと比較してシロリムスの治療上有効な投与量を減少させるための、請求項１３から１６のいずれか一項に記載の医薬組成物。
【請求項１８】
腎移植を受けた患者における臓器拒絶反応の予防のための、乾癬、結節性硬化症に関連した顔面血管線維腫、バート・ホッグ・デュベ症候群に見られる線維毛包腫、慢性びらん性口腔扁平苔癬、早期皮膚Ｔ細胞リンパ腫、自己免疫アクティブ前部ぶどう膜炎、ドライアイ症候群、加齢黄斑変性、糖尿病黄斑浮腫、非感染性ぶどう膜炎、毛細血管拡張症、炎症性皮膚疾患（皮膚炎、乾癬、扁平紅色苔癬）、先天性爪甲硬厚症の治療のための、及び血管新生経路抑制のための薬剤の製造における、請求項１から６のいずれか一項に記載の複合体の使用。
【請求項１９】
以下、
ａ）１０〜４０重量％のシロリムス又はその塩；
ｂ）２０〜８０重量％のポリビニルピロリドン；及び
ｃ）５〜５０重量％のラウリル硫酸ナトリウム、を含む安定な複合体であって、５０ｎｍと６００ｎｍとの間の範囲の制御された粒子サイズを有する、複合体。
【請求項２０】
前記粒子サイズが５０ｎｍと２００ｎｍとの間である、請求項１９に記載の複合体。
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
それを必要とする患者に投与される、尿素サイクル障害の進行を阻害するための医薬組成物であって、有効量のグリセリルトリベンゾエート及び/又はグリセリルジベンゾエートを含む医薬組成物。
【請求項２】
1日1回患者に投与される、請求項1に記載の医薬組成物。
【請求項３】
有効量が、50kgの患者に基づいた場合、1日3グラムから10グラムまでである、請求項1に記載の医薬組成物。
【請求項４】
薬学的に許容される担体又は賦形剤をさらに含む、請求項1に記載の医薬組成物。
【請求項５】
経口投与される、請求項1に記載の医薬組成物。
【請求項６】
尿素サイクル障害が、N-アセチルグルタミン酸シンターゼ、カルバモイルリン酸シンテターゼ1、オルニチントランスカルバモイラーゼ、アルギニノコハク酸シンターゼ、アルギニノコハク酸リアーゼ、アルギナーゼ1及びそれらの任意の組合せからなる群から選択される、請求項1に記載の医薬組成物。
【請求項７】
それを必要とする患者に投与される、神経変性障害の進行を阻害するための医薬組成物であって、有効量のグリセリルトリベンゾエート及び/又はグリセリルジベンゾエートを含む医薬組成物。
【請求項８】
1日1回患者に投与される、請求項7に記載の医薬組成物。
【請求項９】
有効量が、50kgの患者に基づいた場合、1日1グラムから5グラムまでである、請求項7に記載の医薬組成物。
【請求項１０】
有効量が、50kgの患者に基づいた場合、1日1.25グラムである、請求項7に記載の医薬組成物。
【請求項１１】
薬学的に許容される担体又は賦形剤をさらに含む、請求項7に記載の医薬組成物。
【請求項１２】
経口投与される、請求項7に記載の医薬組成物。
【請求項１３】
神経変性障害が、多発性硬化症、パーキンソン病、アルツハイマー病、うつ病、ハンチントン病、認知症、記憶喪失障害及びそれらの任意の組合せからなる群から選択される、請求項7に記載の医薬組成物。
【請求項１４】
尿素サイクル障害の治療のための医薬製造用のグリセリルトリベンゾエート及び/又はグリセリルジベンゾエート化合物の使用。
【請求項１５】
グリセリルトリベンゾエート及び/又はグリセリルジベンゾエート化合物が、薬学的に許容される担体又は賦形剤と共に組成物中に製剤化される、請求項14に記載の使用。
【請求項１６】
尿素サイクル障害が、N-アセチルグルタミン酸シンターゼ、カルバモイルリン酸シンテターゼ1、オルニチントランスカルバモイラーゼ、アルギニノコハク酸シンターゼ、アルギニノコハク酸リアーゼ、アルギナーゼ1及びそれらの任意の組合せからなる群から選択される、請求項14に記載の使用。
【請求項１７】
神経変性障害の治療のための医薬製造用のグリセリルトリベンゾエート及び/又はグリセリルジベンゾエート化合物の使用。
【請求項１８】
グリセリルトリベンゾエート及び/又はグリセリルジベンゾエート化合物が、薬学的に許容される担体又は賦形剤と共に組成物中に製剤化される、請求項17に記載の使用。
【請求項１９】
神経変性障害が、多発性硬化症、パーキンソン病、アルツハイマー病、うつ病、ハンチントン病、認知症、記憶喪失障害及びそれらの任意の組合せからなる群から選択される、請求項17に記載の使用。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
必要な対象において、慢性閉塞性肺疾患（COPD）を治療するための医薬組成物の製造を特徴とする、１５−ＨＥＰＥ遊離酸100mgから約1,000mgの使用であって、該医薬組成物が毎日投与されるように調剤されている、該使用。
【請求項２】
前記医薬組成物が投与ユニットである、請求項１記載の使用。
【請求項３】
前記投与ユニットがカプセルである、請求項２記載の使用。
【請求項４】
前記１５−ＨＥＰＥ遊離酸が前記医薬組成物の重量の少なくとも約90％である、請求項１記載の使用。
【請求項５】
前記１５−ＨＥＰＥ遊離酸が前記医薬組成物の重量の少なくとも約95％である、請求項１記載の使用。
【請求項６】
前記医薬組成物が、前記１５−ＨＥＰＥ遊離酸400mgから約700mgを含む、請求項１記載の使用。
【請求項７】
前記医薬組成物が投与ユニットである、請求項６記載の使用。
【請求項８】
前記投与ユニットがカプセルである、請求項７記載の使用。
【請求項９】
前記１５−ＨＥＰＥ遊離酸が前記医薬組成物の重量の少なくとも約90％である、請求項６記載の使用。
【請求項１０】
前記１５−ＨＥＰＥ遊離酸が前記医薬組成物の重量の少なくとも約95％である、請求項６記載の使用。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
式Ｉの化合物又はその塩の製造方法であって、
【化１】
2017505801.tif 000001
（式中、ＲはＨである。）、式Ｉ−１の化合物
【化２】
2017505801.tif 000002
（式中、Ｘは、臭素、塩素又はフッ素である。）の、式Ｉ−２の化合物
【化３】
2017505801.tif 000003
（式中、Ｒは、Ｈである。）又は式Ｉ−２の化合物の塩との反応を有し、当該反応は、極性非プロトン性有機溶媒又は非プロトン性有機溶媒の極性混合物中において、塩基の存在下で行われ、Ｘが臭素又は塩素である場合には、フッ化テトラ−ｎ−ブチルアンモニウム水和物又はフッ化セシウムの存在下で行われる、方法。
【請求項２】
前記塩基が、ＮａＯＨ、ＫＯＨ、１，８−ジアザビシクロ［５．４．０］ウンデカ−７−エン、トリエチルアミン、カリウム  ｔｅｒｔ−ブトキシド、Ｎａ２ＣＯ３、Ｋ２ＣＯ３及びＣｓ２ＣＯ３からなる群より選択される、請求項１に記載の方法。
【請求項３】
前記塩基がＫ２ＣＯ３である、請求項２に記載の方法。
【請求項４】
極性非プロトン性有機溶媒又は非プロトン性有機溶媒の極性混合物がジメチルスルフォキシドを含む、請求項１〜３の１項に記載の方法。
【請求項５】
ジメチルスルフォキシドを溶媒として用いて行われる、請求項４の方法。
【請求項６】
Ｘが塩素であり、式Ｉ−１の化合物の式Ｉ−２の化合物との反応が、フッ化テトラ−ｎ−ブチルアンモニウム水和物の存在下にて、ジメチルスルフォキシドを溶媒として用いて行われる、請求項１〜５の１項に記載の方法。
【請求項７】
式Ｉ−１の化合物
【化４】
2017505801.tif 000004
（式中、Ｘは、フッ素である。）又は当該化合物の塩。
【請求項８】
請求項１に定義する式Ｉの化合物又はその塩の製造方法における、請求項７に記載する式Ｉ−１の化合物又はその塩の使用。
【請求項９】
式Ｉの化合物の製造方法又はその塩の製造方法であって、
【化５】
2017505801.tif 000005
（式中、Ｒは、Ｈである。）、式Ｉ−１の化合物の反応を有し、下記の工程を有する、方法：
ａ）  式Ｉ−１Ｃｌの化合物
【化６】
2017505801.tif 000006
又はその塩を、極性非プロトン性有機溶媒又は非プロトン性有機溶媒の極性混合物中において、塩基の存在下で、フッ化テトラ−ｎ−ブチルアンモニウム水和物又はフッ化セシウムと反応させて、式Ｉ−１Ｆの化合物を生成させる工程
【化７】
2017505801.tif 000007
及び
ｂ）  工程ａ）で得られた式Ｉ−１Ｆの化合物を、式Ｉ−２の化合物
【化８】
2017505801.tif 000008
（式中、Ｒは、Ｈである。）又はその塩と、極性非プロトン性有機溶媒又は非プロトン性有機溶媒の極性混合物中において、塩基の存在下で反応させて、当該式Ｉの化合物又はその塩を生成させる工程。
【請求項１０】
工程ａ）が、式Ｉ−１Ｃｌの化合物をフッ化セシウムと反応させることにより行われる、請求項９の方法。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ポリマー材料を含むマトリックスと、
ポリエーテルイミドで集束された繊維、エポキシで集束された繊維、及びそれらの組み合わせからなる群から選択された少なくとも１つの集束された繊維と、
を含み、
前記繊維は前記マトリックスに埋め込まれる
ことを特徴とする複合材料。
【請求項２】
前記ポリマー材料は、芳香族ポリケトン、ポリエーテルエーテルケトン、ポリフェニルスルホン、ポリベンゾイミダゾール、ポリエーテルスルホン、ポリスルホン、ポリカーボネート、ポリフェニレンエーテル、ポリフェニレンスルファイド、ポリエーテルイミド、又はポリエーテルイミドコポリマーを含むことを特徴とする請求項１に記載の複合材料。
【請求項３】
前記ポリマー材料は、式（４）のポリエーテルイミドを含み、
2017505843.tif 000001
ａは１より大きく、
式（４）中のＶ基は、（ａ）エーテル基により置換された５〜５０の炭素原子を有する飽和、不飽和、又は芳香族単環式及び複環式基、（ｂ）エーテル基により置換された１〜３０の炭素原子を有する直鎖又は分岐鎖の飽和又は不飽和アルキル基、又は（ａ）及び（ｂ）の組み合わせであり、
Ｒ基は、（ａ）６〜２０の炭素原子を有する芳香族炭化水素基及びそれらのハロゲン化誘導体、（ｂ）２〜２０の炭素原子を有する直鎖又は分岐鎖アルキレン基、（ｃ）３〜２０の炭素原子を有するシクロアルキレン基、又は（ｄ）式（５）の２価基であり、
2017505843.tif 000002
Ｑ１は、−Ｏ−、−Ｓ−、−Ｃ（Ｏ）−、−ＳＯ２−、−ＳＯ−、ＣｙＨ２ｙ−を含み、
ｙは１〜５の整数である
ことを特徴とする請求項１に記載の複合材料。
【請求項４】
前記ポリエーテルイミドは、パラ−クミルフェノール、脂肪族アミン、又は芳香族アミンによりエンドキャップされることを特徴とする請求項２に記載の複合材料。
【請求項５】
前記ポリエーテルイミドは、１００ｐｐｍ以上６００ｐｐｍ以下の量のヒドロキシル基を有することを特徴とする請求項３又は４に記載の複合材料。
【請求項６】
集束された繊維は、炭素繊維、ガラス繊維、アラミド繊維、ポリパラフェニレンテレフタルアミド繊維、及びそれらの組み合わせを含むことを特徴とする請求項１から５のいずれかに記載の複合材料。
【請求項７】
前記繊維は、前記繊維の重量を基準として、０〜７重量％の百分率の集束剤を有することを特徴とする請求項１から６のいずれかに記載の複合材料。
【請求項８】
前記繊維は、１〜２０μｍの直径を有することを特徴とする請求項１から７のいずれかに記載の複合材料。
【請求項９】
前記繊維は、０．５〜７ｇ／ｃｍ３の密度を有することを特徴とする請求項１から８のいずれかに記載の複合材料。
【請求項１０】
前記ポリエーテルイミドは、パラ−クミルフェノール末端ポリエーテルイミドであり、複合材料は、６８〜１２０ＭＰａの界面剪断応力を有することを特徴とする請求項２から９のいずれかに記載の複合材料。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
トラックと、シリンダ内部で移動可能なピストンとを含み、
上記トラックは、シリンダに対して、回転軸周囲を回転するように適合されており、かつ、カム表面と、当該カム表面から伸長しているエッジ面とを有し、
上記ピストンは、上記カム表面上を走行するフォロワによって、上記トラックと連結しており、
上記カム表面は、上記トラックが上記シリンダに対して移動するときに、ピストンヘッドが上記カム表面の軌道に従ってシリンダ内部で往復運動するように、形成されており、
上記ピストンに安定化部材が接続され、当該安定化部材は、上記ピストンヘッドの下部に伸長し、かつ、上記トラックの上記エッジ面と係合する接触面を備えている、ピストン装置。
【請求項２】
上記トラックは、上記シリンダが上記回転軸に対して静止し続けている間に、上記回転軸周囲を回転する、請求項１に記載のピストン装置。
【請求項３】
上記安定化部材は、１つ以上の締め具によって、ピストンヘッドに固定して接続されている、請求項１または２に記載のピストン装置。
【請求項４】
上記安定化部材の上記接触面の形状は、実質的に、上記トラックの上記エッジ面の形状と一致する、請求項１〜３の何れか１項に記載のピストン装置。
【請求項５】
上記安定化部材は、第１端面および第２端面を備え、上記接触面は、当該第１端面と当該第２端面との間に伸長し、
上記第１端面および上記第２端面の少なくとも１つは、上記ピストンが往復運動するときに、滑走するように位置決め部材と係合する、請求項１〜４の何れか１項に記載のピストン装置。
【請求項６】
上記フォロワは、上記ピストンに取り付けられているローラを備えており、当該ローラは、上記トラックに沿って走行するときに、上記ピストンに対して回転するように適合されている、請求項１〜５の何れか１項に記載のピストン装置。
【請求項７】
上記トラックは、互いに反対方向を向いている第１カム表面および第２カム表面を備えており、上記エッジ面は、当該第１カム表面および当該第２カム表面の間に伸長し、
上記ピストンは、第１フォロワおよび第２フォロワを備え、当該第１フォロワおよび当該第２フォロワは、それぞれ、上記第１カム表面および上記第２カム表面上を走行する、請求項１〜６の何れか１項に記載のピストン装置。
【請求項８】
上記トラックは、上記安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
上記安定化部材は、第１接触面および第２接触面を備え、当該第１接触面および当該第２接触面は、上記第１トラック部および上記第２トラック部の各エッジ面と係合する、請求項１〜７の何れか１項に記載のピストン装置。
【請求項９】
上記安定化部材は、上記ピストンと上記トラックとの間の相対的な動きの方向に平行な方向に、上記安定化部材の範囲にわたって次第に細くなる厚さを有している、請求項１〜８の何れか１項に記載のピストン装置。
【請求項１０】
上記トラックは、上記回転軸に対する半径方向内側表面および／または半径方向外側表面として配置されている上記カム表面を有する半径方向トラックである、請求項１〜９の何れか１項に記載のピストン装置。
【請求項１１】
上記トラックは、上記回転軸に対する半径方向内側表面および／または半径方向外側表面として配置されている上記カム表面を有する半径方向トラックであり、
上記第１トラック部の上記エッジ面は、実質的に、上記第２トラック部の上記エッジ面に平行である、請求項８に記載のピストン装置。
【請求項１２】
上記安定化部材は、上記ピストンの軸に平行な方向から見た場合、実質的にまっすぐである、請求項１１に記載のピストン装置。
【請求項１３】
上記トラックは、上記回転軸に平行な方向に向いて配置されている上記カム表面を有する環状トラックである、請求項１〜９の何れか１項に記載のピストン装置。
【請求項１４】
上記トラックは、上記回転軸に平行な方向に向いて配置されている上記カム表面を有する環状トラックであり、
上記第１トラック部および上記第２トラック部は、上記第１トラック部の上記エッジ面と上記第２トラック部の上記エッジ面との間に環状の隙間が形成されるように、同心円状に配置されている、請求項８に記載のピストン装置。
【請求項１５】
上記安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、請求項１４に記載のピストン装置。
【請求項１６】
上記エッジ面は、上記安定化部材の上記接触面が、潤滑油の膜を介して上記トラックの上記エッジ面と接触するように潤滑油が差されている、請求項１〜１５の何れか１項に記載のピストン装置。
【請求項１７】
上記安定化部材の上記接触面は、上記トラックの上記エッジ面からオイルを受け取るように適合されているオイルピックアップを備えている、請求項１６に記載のピストン装置。
【請求項１８】
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記シリンダに対して動いたとき、上記潤滑油送達デバイスが、上記潤滑油送達デバイスが、上記トラックの上記軌道に従って往復運動するように、上記潤滑油送達デバイスを上記トラックに連結し、これにより、上記エッジ面に対する潤滑油の供給が維持される、請求項１６または１７に記載のピストン装置。
【請求項１９】
請求項１〜１８の何れか１項に記載の少なくとも１つのピストン装置を備えている、内燃エンジン。
【手続補正２】
【補正対象書類名】明細書
【補正対象項目名】発明の名称
【補正方法】変更
【補正の内容】
【発明の名称】ピストン装置および内燃エンジン
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
化合物１：
【化１】
2017505347.tif 000001
の結晶性無溶媒和物。
【請求項２】
化合物１の溶媒和多形を実質的に含まない、請求項１に記載の結晶性無溶媒和物。
【請求項３】
請求項１又は２に記載の結晶性無溶媒和物を含む組成物。
【請求項４】
前記結晶性無溶媒和物が、フォームＩ、フォームＩＩ又はマテリアルＮのうちの１つ以上を含み、ここで、
フォームＩは、１２．８２、１５．７４、１６．０３、１６．６３、１７．６０、２５．１４、２５．８２及び２６．４４（各々±０．２）から選択される少なくとも１つの粉末Ｘ線回折ピーク（°２θ、Ｃｕ  Ｋα線）によって特徴付けられ；
フォームＩＩは、１３．３７、１４．３７、１９．９５及び２３．９２（各々±０．２）から選択される少なくとも１つの粉末Ｘ線回折ピーク（°２θ、Ｃｕ  Ｋα線）によって特徴付けられ；及び
マテリアルＮは、１１．６５、１１．８５、１２．０８、１６．７０、１９．６５及び２３．４８（各々±０．２）から選択される少なくとも１つの粉末Ｘ線回折ピーク（°２θ、Ｃｕ  Ｋα線）によって特徴付けられる、請求項１又は２に記載の結晶性無溶媒和物。
【請求項５】
フォームＩＩを含む、請求項４に記載の結晶性無溶媒和物。
【請求項６】
マテリアルＮを含む、請求項４に記載の結晶性無溶媒和物。
【請求項７】
化合物１の塩を溶媒中にスラリー化するステップと、前記化合物１塩を不均化させるステップであって、それにより前記結晶性無溶媒和物を形成するステップを含む、請求項１又は２に記載の結晶性無溶媒和物の調製方法。
【請求項８】
ヘモグロビンＳの酸素親和性を増加させるための、請求項１又は２に記載の結晶性無溶媒和物を含む剤。
【請求項９】
ヘモグロビンＳの酸素親和性を増加させるための、請求項３に記載の組成物。
【請求項１０】
鎌状赤血球貧血に関連する酸素欠乏を治療するための、請求項１又は２に記載の結晶性無溶媒和物を含む剤。
【請求項１１】
鎌状赤血球貧血に関連する酸素欠乏を治療するための、請求項３に記載の組成物。
【請求項１２】
化合物１：
【化２】
2017505347.tif 000002
の結晶性溶媒和物。
【請求項１３】
化合物１の無溶媒和多形を実質的に含まない、請求項１２に記載の結晶性溶媒和物。
【請求項１４】
請求項１２又は１３に記載の結晶性溶媒和物を含む組成物。
【請求項１５】
マテリアルＥ、マテリアルＦ、マテリアルＧ、マテリアルＨ、マテリアルＪ、マテリアルＫ、マテリアルＬ、マテリアルＭ、マテリアルＯ又はマテリアルＰのうちの１つ以上を含む、請求項１２又は１３に記載の結晶性溶媒和物。
【請求項１６】
マテリアルＥが、８．６９、１１．７３、１２．１０、１５．２６、１６．１１、１７．４５、２２．３９、２２．５５及び２３．７０（各々±０．２０）から選択される少なくとも１つ、２つ、又は３つの粉末Ｘ線回折ピーク（°２θ、Ｃｕ  Ｋα線）によって特徴付けられ；
マテリアルＦが、８．４７、８．８１、１２．７５、１３．１７、１４．９２、１５．６３、１７．０１、２３．７３、及び２４．０７（各々±０．２０）から選択される少なくとも１つ、２つ、又は３つの粉末Ｘ線回折ピーク（°２θ、Ｃｕ  Ｋα線）によって特徴付けられ；
マテリアルＧが、８．４７、１１．４５、１２．６２、１４．６６、１５．６９、１７．０１、１８．４７、２０．３２、２２．６１、２３．０８、２３．４３及び２３．７０（各々±０．２０）から選択される少なくとも１つ、２つ、又は３つの粉末Ｘ線回折ピー
ク（°２θ、Ｃｕ  Ｋα線）によって特徴付けられ；
マテリアルＨが、８．６１、１１．６７、１５．３３、１６．２８、１７．２８、２２．５８、２３．５１及び２５．７７（各々±０．２０）から選択される少なくとも１つ、２つ、又は３つの粉末Ｘ線回折ピーク（°２θ、Ｃｕ  Ｋα線）によって特徴付けられ；
マテリアルＪが、８．５２、８．８８、１２．７９、１５．０４、１５．６１、１７．１１、２２．８１、２３．８７、２４．１７、２４．６２及び２６．４４（各々±０．２０）から選択される少なくとも１つ、２つ、又は３つの粉末Ｘ線回折ピーク（°２θ、Ｃｕ  Ｋα線）によって特徴付けられ；
マテリアルＫが、８．５２、８．８３、１１．３５、１５．０４、１５．７４、１７．１１、２３．４６、２３．５８、２４．０８及び２５．９９（各々±０．２０）から選択される少なくとも１つ、２つ、又は３つの粉末Ｘ線回折ピーク（°２θ、Ｃｕ  Ｋα線）によって特徴付けられ；
マテリアルＬが、８．６１、８．７８、１１．６７、１４．９４、１５．２８、１６．１４、１７．３０、２２．７５、２３．７１及び２６．０５（各々±０．２０）から選択される少なくとも１つ、２つ、又は３つの粉末Ｘ線回折ピーク（°２θ、Ｃｕ  Ｋα線）によって特徴付けられ；及び
マテリアルＭが、７．７４、１０．０５、１２．８２、１５．３３、１６．８０、２０．８２、２１．１４、２５．８０及び２６．９７（各々±０．２０）から選択される少なくとも１つ、２つ、又は３つの粉末Ｘ線回折ピーク（°２θ、Ｃｕ  Ｋα線）によって特徴付けられる、請求項１５に記載の結晶性溶媒和物。
【請求項１７】
化合物１の遊離塩基無溶媒和物を溶媒と接触させるステップを含む、請求項１２又は１３に記載の結晶性溶媒和物の調製方法。
【請求項１８】
ヘモグロビンＳの酸素親和性を増加させるための、請求項１２又は１３に記載の結晶性溶媒和物を含む剤。
【請求項１９】
鎌状赤血球貧血に関連する酸素欠乏を治療するための、請求項１２に記載の結晶性溶媒和物を含む剤。
【請求項２０】
鎌状赤血球貧血を治療するための、請求項１若しくは２に記載の結晶性無溶媒和物又は請求項１２若しくは１３に記載の結晶性溶媒和物を含む剤。
【請求項２１】
鎌状赤血球貧血を治療するための、請求項３又は１４に記載の組成物。
【請求項２２】
ヘモグロビンに関連する障害を治療するための、請求項１若しくは２に記載の結晶性無溶媒和物又は請求項１２若しくは１３に記載の結晶性溶媒和物を含む剤。
【請求項２３】
ヘモグロビンに関連する障害を治療するための、請求項３又は１４に記載の組成物。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
表面の殺菌のための組成物であって、該組成物は、
組成物の総質量基準で少なくとも４０質量％のＣ１−６アルコール；及び
少なくとも１つの第１のエンハンサー
を含んでなり、酸性のｐＨを有することを特徴とする、組成物。
【請求項２】
３未満のｐＨを有する、請求項１に記載の組成物。
【請求項３】
少なくとも１つの第１のエンハンサーが、アミン含有エンハンサー、α−アミノ酸、アルカリ金属の塩、アルカリ土類金属の塩、及びアニオン性界面活性剤からなる群から選ばれるものである、請求項１に記載の組成物。
【請求項４】
少なくとも１つの第１のエンハンサーが、塩化アンモニウム、クエン酸鉄アンモニウム、塩化カルシウム、過塩素酸鉄、過塩素酸リチウム、酢酸リチウム、塩化マグネシウム、塩素酸ナトリウム、塩化ナトリウム、亜塩素酸ナトリウム、２−アミノ−２−ヒドロキシメチル−プロパン−１,３−ジオール塩酸塩、及びその組み合わせからなる群から選ばれるものである、請求項１に記載の組成物。
【請求項５】
少なくとも１つの第１のエンハンサーが塩化アンモニウムである、請求項４に記載の組成物。
【請求項６】
アルコール又は第１のエンハンサー単独の効力と比較して、クロストリジウム・ディフィシレ（C. difficile）の胞子に対して増大された効力を発揮する、請求項１に記載の組成物。
【請求項７】
さらに、少なくとも１つの第２のエンハンサーを含んでなる、請求項１に記載の組成物。
【請求項８】
少なくとも１つの第２のエンハンサーが、非イオン性界面活性剤、有機酸、抗菌剤、酸化剤、糖、糖アルコール、単糖類、グリセリン、及びその組み合わせからなる群から選ばれるものである、請求項７に記載の組成物。
【請求項９】
少なくとも１つの第２のエンハンサーが、デシルグルコシド、ポリアルコキシル化ジメチコーン、グリセリン、及びその組み合わせからなる群から選ばれるものである、請求項７に記載の組成物。
【請求項１０】
有機酸が、クエン酸、ラウリン酸、タンニン酸、及びその組み合わせからなる群から選ばれるものである、請求項８に記載の組成物。
【請求項１１】
抗菌剤が、トリクロサン、PCMX、クロロキシレノール、ヘキセチジン、クロルヘキシジン塩、２−ブロモ−２−ニトロプロパン−１,３−ジオール、塩化ベンザルコニウム、塩化セチルピリジニウム、塩化アルキルベンジルジメチルアンモニウム、ヨウ素、フェノール、ビスフェノール、ジフェニルエーテル、フェノール誘導体、ポビドン−ヨウ素、パラベン、ヒダントイン及びその誘導体、フェノキシエタノール、１−(３−クロロアリル)−３,５,６−トリアザ−１−アゾニアアダマンタンクロリドのcis−異性体、ジアソリジニル尿素、塩化ベンゼトニウム、塩化メチルベンゼトニウム、ラウリン酸グリセリル、遷移金属化合物、過酸化水素、二酸化塩素、アニリド、ビスグアニジン、トロポロン、Ｃ６−１０アルカンジオール、及びその組み合わせからなる群から選ばれるものである、請求項８に記載の組成物。
【請求項１２】
表面上のクロストリジウム・ディフィシレ（C. difficile）の胞子の不活性化のための組成物であって、該組成物は、
組成物の総質量基準で少なくとも４０質量％のＣ１−６アルコール；及び
アミン含有エンハンサー、α−アミノ酸、アルカリ金属の塩、アルカリ土類金属の塩、及びアニオン性界面活性剤からなる群から選ばれる少なくとも１つの第１のエンハンサー
を含んでなり、酸性のｐＨを有することを特徴とする、組成物。
【請求項１３】
約３未満のｐＨを有する、請求項１２に記載の組成物。
【請求項１４】
少なくとも１つの第１のエンハンサーが、塩化アンモニウム、クエン酸鉄アンモニウム、塩化カルシウム、過塩素酸鉄、過塩素酸リチウム、酢酸リチウム、塩化マグネシウム、塩素酸ナトリウム、塩化ナトリウム、亜塩素酸ナトリウム、２−アミノ−２−ヒドロキシメチル−プロパン−１,３−ジオール塩酸塩、及びその組み合わせからなる群から選ばれるものである、請求項１２に記載の組成物。
【請求項１５】
少なくとも１つの第１のエンハンサーが塩化アンモニウムである、請求項１４に記載の組成物。
【請求項１６】
さらに、非イオン性界面活性剤、有機酸、抗菌剤、酸化剤、糖、糖アルコール、単糖類、グリセリン、及びその組み合わせからなる群から選ばれる少なくとも１つの第２のエンハンサーを含んでなる、請求項１２に記載の組成物。
【請求項１７】
表面の殺菌のための組成物であって、該組成物は、
組成物の総質量基準で少なくとも７０質量％のＣ１−６アルコール；及び
アミン含有エンハンサー、α−アミノ酸、アルカリ金属の塩、アルカリ土類金属の塩、及びアニオン性界面活性剤からなる群から選ばれる少なくとも１つの第１のエンハンサー
を含んでなり、３未満のｐＨを有することを特徴とする、組成物。